(57)【要約】ロール品ディスペンサ装置が開示されている。ロール品ディスペンサ装置は、連続物（５１）のロール（５０）とロールを損傷から保護する第１および第２ディスペンサガード（２０、３０）とを有する。ロール（５０）品を分配するためにロール品ディスペンサ装置を使用する方法もまた開示されている。
2004521843.tif 000002
【特許請求の範囲】
【請求項１】
ロール品ディスペンサ装置であって、
ロール直径を画定する互いに反対側の第１および第２側面並びにロール内で中心空洞を画定するコアを備える連続物のロールと、
サイドシールドから突出する止めプラグを備え、該サイドシールドが、該止めプラグが前記中心空洞内に配置されたときに前記ロールの前記第１側面の全体を覆い、該サイドシールドが、閉じた形態と開いた形態との間で移動可能であり、該閉じた形態の該サイドシールドが、前記ロールに面する凹形状を形成し、該凹形状が容積を画定し、前記ロールが該容積の少なくとも一部を占有し、該開いた形態の該サイドシールドが、前記ロールに面する凸形状を形成する、第１ディスペンサガードと、
を具備する装置。
【請求項２】
前記サイドシールドが、前記開いた形態かまたは前記閉じた形態のいずれかに付勢されており、それにより、該開いた形態と該閉じた形態との間で該サイドシールドを移動させるために力が必要である、請求項１記載の装置。
【請求項３】
前記止めプラグが、前記中心空洞内に摩擦嵌合される、請求項１記載の装置。
【請求項４】
サイドシールドから突出する止めプラグを備えた第２ディスペンサガードをさらに具備し、該第２ディスペンサガードの該サイドシールドが、該第２ディスペンサガードの該止めプラグが前記中心空洞内に配置されたときに、前記ロールの前記第２側面の全体を覆う、請求項１記載の装置。
【請求項５】
前記第１ディスペンサガードの前記止めプラグと前記第２ディスペンサガードの前記止めプラグとのうちの少なくとも一方が、前記中心空洞内に摩擦嵌合される、請求項４記載の装置。
【請求項６】
前記第１ディスペンサガードの前記止めプラグが、前記第２ディスペンサガードの前記止めプラグに取付けられる、請求項４記載の装置。
【請求項７】
前記第１ディスペンサガードの前記サイドシールドと前記第２ディスペンサガードの前記サイドシールドとが、前記ロールを収容する閉容積を形成する、請求項４記載の装置。
【請求項８】
前記第１ディスペンサガードの前記サイドシールドが、閉じた形態と開いた形態との間で移動可能であり、該サイドシールドが、該閉じた形態にあるときに前記ロールの前記第１側面に面する凹形状を形成し、該凹形状が容積を画定し、該ロールが該容積の少なくとも一部を占有する、請求項７記載の装置。
【請求項９】
前記第１ディスペンサガードの前記サイドシールドが、該第１ディスペンサガードの該サイドシールドが前記開いた形態にあるときに、前記ロールの前記第１側面に面する凸形状を形成する、請求項８記載の装置。
【請求項１０】
前記連続物が接着テープからなる、請求項１記載の装置。
【請求項１１】
ロール品ディスペンサ装置であって、
ロール直径を画定する互いに反対側の第１および第２側面並びにロール内で中心空洞を画定するコアを備える連続物のロールと、
第１サイドシールドから突出する第１止めプラグを備え、該第１サイドシールドが、該第１止めプラグが前記中心空洞内に配置されたときに前記ロールの前記第１側面を覆い、該第１サイドシールドが、閉じた形態と開いた形態との間で移動可能であり、該第１サイドシールドが、該閉じた形態にあるときに前記ロールの前記第１側面に面する凹形状を形成し、該凹形状が容積を画定し、前記ロールが該容積の少なくとも一部を占有する、第１ディスペンサガードと、
第２サイドシールドから突出する第２止めプラグを備え、該第２サイドシールドが、該第２止めプラグが前記中心空洞内に配置されたときに前記ロールの前記第２側面を覆い、該第２サイドシールドが、閉じた形態と開いた形態との間で移動可能であり、該第２サイドシールドが、該閉じた形態にあるときに前記ロールの前記第２側面に面する凹形状を形成し、該凹形状が容積を画定し、前記ロールが該容積の少なくとも一部を占有する、第２ディスペンサガードと、
を具備する装置。
【請求項１２】
前記第１サイドシールドが、前記開いた形態かまたは前記閉じた形態のいずれかに付勢されており、それにより、該開いた形態と該閉じた形態との間で該第１サイドシールドを移動させるために力が必要であり、前記第２サイドシールドが、前記開いた形態かまたは前記閉じた形態のいずれかに付勢されており、それにより、該開いた形態と該閉じた形態との間で該第２サイドシールドを移動させるために力が必要である、請求項１１記載の装置。
【請求項１３】
前記第１サイドシールドが、前記開いた形態にあるときに、前記ロールの前記第１側面に面する凸形状を形成し、前記第２サイドシールドが、前記開いた形態にあるときに、前記ロールの前記第２側面に面する凸形状を形成する、請求項１１記載の装置。
【請求項１４】
前記第１止めプラグと前記第２止めプラグとの少なくとも一方が、前記中心空洞内に摩擦嵌合される、請求項１１記載の装置。
【請求項１５】
前記第１止めプラグが前記第２止めプラグに取付けられる、請求項１１記載の装置。
【請求項１６】
前記第１サイドシールドと前記第２サイドシールドとが、該第１サイドシールドと該第２サイドシールドとの両方がそれぞれの閉じた形態にあるときに、前記ロールを収容する閉容積を形成する、請求項１１記載の装置。
【請求項１７】
前記連続物が接着テープからなる、請求項１１記載の装置。
【請求項１８】
ロールから連続物を分配する方法であって、
ロール直径を画定する互いに反対側の第１および第２側面並びにロール内で中心空洞を画定するコアを備える連続物のロールを用意することと、
サイドシールドから突出する止めプラグを備え、該止めプラグが、前記ロールの前記中心空洞内に配置され、該サイドシールドが、前記ロールの前記第１側面の全体を覆い、該サイドシールドが、閉じた形態と開いた形態との間で移動可能であり、該サイドシールドが、該閉じた形態にあるときに前記ロールに面する凹形状を形成し、該凹形状が容積を画定し、前記ロールが該容積の少なくとも一部を占有し、該サイドシールドが、該開いた形態にあるときに前記ロールに面する凸形状を形成する、第１ディスペンサガードを用意することと、
前記サイドシールドを前記閉じた形態から前記開いた形態に移動させることと、
前記ロールから前記連続物の選択された部分を繰り出すことと、
前記ロールから前記連続物の前記選択された部分を分離することと、
を含む方法。
【請求項１９】
前記サイドシールドが、前記開いた形態かまたは前記閉じた形態のいずれかに付勢されており、それにより、該閉じた形態から該開いた形態に該サイドシールドを移動させるときに力が必要である、請求項１８記載の方法。
【請求項２０】
前記止めプラグが前記中心空洞内に摩擦嵌合されるものであって、該止めプラグを該中心空洞内に押込むことをさらに含む請求項１８記載の方法。
【請求項２１】
サイドシールドから突出する止めプラグを備える第２ディスペンサガードであって、該第２ディスペンサガードの該止めプラグが前記中心空洞内に配置されたときに、該第２ディスペンサガードの該サイドシールドが前記ロールの前記第２側面の全体を覆うようになっている、第２ディスペンサガードを用意することをさらに含む請求項１８記載の方法。
【請求項２２】
前記第１ディスペンサガードの前記第１止めプラグと前記第２ディスペンサガードの前記第２止めプラグとの少なくとも一方が、前記中心空洞内に摩擦嵌合されるものであって、摩擦嵌合される該止めプラグを該中心空洞内に押込むことをさらに含む請求項２１記載の方法。
【請求項２３】
前記第１ディスペンサガードの前記止めプラグを前記第２ディスペンサガードの前記止めプラグに取付けることをさらに含む請求項２１記載の方法。
【請求項２４】
前記第１ディスペンサガードの前記サイドシールドと前記第２ディスペンサガードの前記サイドシールドとが、前記ロールを収容する閉容積を形成する、請求項２１記載の方法。
【請求項２５】
前記連続物が接着テープからなる、請求項１８記載の方法。
【請求項２６】
ロールから連続物を分配する方法であって、
ロール直径を画定する互いに反対側の第１および第２側面並びにロール内で中心空洞を画定するコアを備える連続物のロールを用意することと、
第１サイドシールドから突出する第１止めプラグを備え、該第１サイドシールドが、該第１止めプラグが前記中心空洞内に配置されたときに前記ロールの前記第１側面を覆い、該第１サイドシールドが、閉じた形態と開いた形態との間で移動可能であり、該第１サイドシールドが、該閉じた形態にあるときに前記ロールの前記第１側面に面する凹形状を形成し、該凹形状が容積を画定し、前記ロールが該容積の少なくとも一部を占有する、第１ディスペンサガードを用意することと、
第２サイドシールドから突出する第２止めプラグを備え、該第２サイドシールドが、該第２止めプラグが前記中心空洞内に配置されたときに前記ロールの前記第２側面を覆い、該第２サイドシールドが、閉じた形態と開いた形態との間で移動可能であり、該第２サイドシールドが、該閉じた形態にあるときに前記ロールの前記第２側面に面する凹形状を形成し、該凹形状が容積を画定し、前記ロールが該容積の少なくとも一部を占有する、第２ディスペンサガードを提供することと、
前記第１サイドシールドを前記閉じた形態から前記開いた形態に移動させることと、
前記第２サイドシールドを前記閉じた形態から前記開いた形態に移動させることと、
前記ロールから前記連続物の選択された部分を繰り出すことと、
前記ロールから前記連続物の前記選択された部分を分離することと、
を含む方法。
【請求項２７】
前記第１サイドシールドが、前記開いた形態かまたは前記閉じた形態のいずれかに付勢されており、それにより、該閉じた形態から該開いた形態に該第１サイドシールドを移動させるときに力が必要であり、前記第２サイドシールドが、前記開いた形態かまたは前記閉じた形態のいずれかに付勢されており、それにより、該閉じた形態から該開いた形態に該第２サイドシールドを移動させるときに力が必要である、請求項２６記載の方法。
【請求項２８】
前記第１サイドシールドが、前記開いた形態にあるときに、前記ロールの前記第１側面に面する凸形状を形成し、前記第２サイドシールドが、前記開いた形態にあるときに、前記ロールの前記第２側面に面する凸形状を形成する、請求項２６記載の方法。
【請求項２９】
前記第１止めプラグと前記第２止めプラグとの少なくとも一方が、前記中心空洞内に摩擦嵌合されるものであって、摩擦嵌合される該止めプラグを該中心空洞内に押込むことをさらに含む請求項２６記載の方法。
【請求項３０】
前記第１止めプラグを前記第２止めプラグに取付けることをさらに含む請求項２６記載の方法。
【請求項３１】
前記第１サイドシールドと前記第２サイドシールドとが、該第１サイドシールドと該第２サイドシールドとの両方がそれぞれの閉じた形態にあるときに、前記ロールを収容する閉容積を形成する、請求項２６記載の方法。
【請求項３２】
前記連続物が接着テープからなる、請求項２６記載の方法。
【発明の詳細な説明】
【技術分野】
【０００１】
本発明は、ロール品ディスペンサ装置に関し、特にロール状の手で引裂き可能なテープのための２部分からなるロール品ディスペンサ装置に関する。
【背景技術】
【０００２】
本技術分野には、複数の用途のために設計された、異なるタイプのテープロールが非常に多く存在する。テープの１種は、本技術分野において医療用テープとして知られている。本明細書で使用する「医療用テープ」という句は、医療分野において使用されるように設計されたテープを意味する。医療用テープの例には、ａ）包帯または機器を固定するための透明で易引裂性のミシン目の入ったプラスチックテープである「トランスポア」（ＴＲＡＮＳＰＯＲＥ）サージカルテープ（Ｓｕｒｇｉｃａｌ  Ｔａｐｅ）と、ｂ）刺激の少ない汎用紙テープである「マイクロポア」（ＭＩＣＲＯＰＯＲＥ）サージカルテープと、ｃ）包帯または機器を固定するための強度な粘着力を有する布テープである「デュラポア」（ＤＵＲＡＰＯＲＥ）サージカルテープと、ｄ）難しい部分への加圧貼付または包帯の固定のための高コンフォーマブルな弾性フォームテープである「マイクロフォーム」（ＭＩＣＲＯＦＯＡＭ）サージカルテープと、ｅ）傷を流体および汚染物質から保護する閉鎖性の透明プラスチックテープである「ブレンダーム」（ＢＬＥＮＤＥＲＭ）サージカルテープと、がある。これら医療用テープの特定の例の各々は、ミネソタ州セントポールのミネソタ・マイニング・アンド・マニュファクチャリング・カンパニー（Ｍｉｎｎｅｓｏｔａ  Ｍｉｎｉｎｇ  ａｎｄ  Ｍａｎｕｆａｃｔｕｒｉｎｇ  Ｃｏｍｐａｎｙ（Ｓｔ．Ｐａｕｌ，ＭＮ））から入手可能である。
【発明の開示】
【発明が解決しようとする課題】
【０００３】
ロール状のテープの使用には、複数の問題が関連する。テープの前端部の位置を特定することは、困難または厄介である可能性がある。これは、特に、可能な限り清潔に維持しなければならないロール状の医療用テープの場合の問題である。テープの前端部は、ユーザがテープのより清潔な部分を優先して露出した前端部を単純に処分するように決めた場合、しばしば廃棄される。露出した、前端部に沿った接着剤とテープの側部に沿った接着剤とは、衣類または他の表面に固着する傾向にあり、表面を汚染しテープロールの使用を不都合にする可能性がある。
【０００４】
ロール状のテープに関連する他の問題は、テープロールによっては容易に損傷を受けるかまたは変化する可能性がある、ということである。テープロール（特に縁）を、擦り減り、傷、へこみまたは他の変形から保護することが概して好ましい。かかる変形は、テープの性能に悪影響を及ぼす可能性があるためである。
【０００５】
ディスペンサは、長年に亙ってテープロールの使用に関する問題に対処するように開発されてきた。これらのディスペンサの多くは、製造が困難である可能性のある複雑で比較的高価な装置である。
【０００６】
さらに、本技術分野には、ロール状のテープの前端部をロールの残りのテープから分離するのを容易にするように設計された、セレーション、歯、ブレード、引裂き縁または他の切断手段を有する、非常に多くのテープロールディスペンサまたは他の装置がある。
【０００７】
ロール状の、手で引裂き可能なまたは手切れテープの場合、切断装置は不要であってもよい。また、状況によっては、切断装置を有するディスペンサが望ましくない場合もある。切断装置は、表面（たとえば衣類）を引掻くかまたは他の方法でそれらに損傷を与える可能性がある。また、切断装置により、ディスペンサが表面上で引っかかる可能性もあり、それによりユーザに対する利便性が低減する可能性がある。概して、切断装置により、ディスペンサのコストが増大することにもなり、製造プロセスが複雑になる。
【課題を解決するための手段】
【０００８】
本発明は、ロール品ディスペンサ装置を提供する。また、本発明は、ロール品ディスペンサ装置を使用する方法も提供する。ディスペンサ装置は、ロール品を損傷から保護するディスペンサガードを有する。
【０００９】
本発明によって提供される利点には、ロール品、たとえばテープを汚物および損傷から保護することができる、ということがある。本発明は、形状がより大きいことにより、ロール品の位置特定をより容易にすることができる。本発明の使用を、その魅力ある触感によってもまた促進することができる。さらに、本発明により、ユーザは、ロール品を汚物、糸くず等で汚染させることなく、ユーザのポケットに入れることができる。また、ロール品を、通常ロールと他の物体との間の衝撃、たとえばロール品を誤って落すことによってもたらされる損傷から保護することができる。
【００１０】
一態様では、本発明は、ロール直径を画定する対向する第１および第２側面とロール内で中心空洞を画定するコアとを備える連続物のロールと、サイドシールドから突出する止めプラグを有し、サイドシールドが、止めプラグが中心空洞内に配置された場合にロールの第１側面全体を覆い、サイドシールドが、閉じた形態と開いた形態との間で移動可能であり、閉じた形態のサイドシールドが、ロールに面する凹形状を形成し、凹形状が容積を画定し、ロールが容積の少なくとも一部を占有し、さらに、開いた形態のサイドシールドがロールに面する凸形状を形成する、第１ディスペンサガードと、を有するロール品ディスペンサ装置を提供する。
【００１１】
別の態様では、本発明は、ロール直径を画定する対向する第１および第２側面とロール内で中心空洞を画定するコアとを備える連続物のロールと、第１サイドシールドから突出する第１止めプラグを有し、第１サイドシールドが、第１止めプラグが中心空洞内に配置された場合にロールの第１側面を覆い、第１サイドシールドが、閉じた形態と開いた形態との間で移動可能であり、第１サイドシールドが、閉じた形態にある場合、ロールの第１側面に面する凹形状を形成し、凹形状が容積を画定し、さらに、ロールが容積の少なくとも一部を占有する、第１ディスペンサガードと、を有するロール品ディスペンサ装置を提供する。本発明のこの態様は、さらに、第２サイドシールドから突出する第２止めプラグを有し、第２サイドシールドが、第２止めプラグが中心空洞内に配置された場合にロールの第２側面を覆い、第２サイドシールドが、閉じた形態と開いた形態との間で移動可能であり、第２サイドシールドが、閉じた形態にある場合、ロールの第２側面に面する凹形状を形成し、凹形状が容積を画定し、さらに、ロールが容積の少なくとも一部を占有する、第２ディスペンサガードを提供する。
【００１２】
別の態様では、本発明は、ロール直径を画定する対向する第１および第２側面とロール内で中心空洞を画定するコアとを有する連続物のロールを提供することにより、ロールから連続物を分配する方法を提供する。さらに、本方法は、サイドシールドから突出する止めプラグを有し、止めプラグが、ロールの中心空洞内に配置され、サイドシールドが、ロールの第１側面全体を覆い、サイドシールドが、閉じた形態と開いた形態との間で移動可能であり、サイドシールドが、閉じた形態にある場合にロールに面する凹形状を形成し、凹形状が容積を画定し、ロールが容積の少なくとも一部を占有し、さらに、サイドシールドが、開いた形態にある場合にロールに面する凸形状を形成する、第１ディスペンサガードを提供するステップを含む。さらに、本方法は、サイドシールドを閉じた形態から開いた形態に移動させるステップと、ロールから連続物の選択された部分を引出すステップと、ロールから連続物の選択された部分を分離するステップと、を含む。
【００１３】
別の態様では、本発明は、ロール直径を画定する対向する第１および第２側面とロール内で中心空洞を画定するコアとを有する連続物のロールを提供することにより、ロールから連続物を分配する方法を提供する。さらに、本方法は、第１サイドシールドから突出する第１止めプラグ有し、第１サイドシールドが、第１止めプラグが中心空洞内に配置された場合にロールの第１側面を覆い、第１サイドシールドが、閉じた形態と開いた形態との間で移動可能であり、第１サイドシールドが、閉じた形態にある場合、ロールの第１側面に面する凹形状を形成し、凹形状が容積を画定し、さらに、ロールが容積の少なくとも一部を占有する、第１ディスペンサガードを提供するステップを含む。さらに、本方法は、第２サイドシールドから突出する第２止めプラグを有し、第２サイドシールドが、第２止めプラグが中心空洞内に配置された場合にロールの第２側面を覆い、第２サイドシールドが、閉じた形態と開いた形態との間で移動可能であり、第２サイドシールドが、閉じた形態にある場合、ロールの第２側面に面する凹形状を形成し、凹形状が容積を画定し、さらに、ロールが容積の少なくとも一部を占有する、第２ディスペンサガードを提供するステップを含む。さらに、本方法は、第１サイドシールドを閉じた形態から開いた形態に移動させるステップと、第２サイドシールドを閉じた形態から開いた形態に移動させるステップと、ロールから連続物の選択された部分を引出すステップと、ロールから連続物の選択された部分を分離するステップと、を含む。
【００１４】
本発明の装置および方法のこれらおよび他の特徴および利点を、本発明のあらゆる例示的な実施形態に関してより詳細に論考することができる。
【発明を実施するための最良の形態】
【００１５】
図１〜図３は、本発明によるロール品ディスペンサ装置の例示的な一実施形態を示す。ロール品ディスペンサ装置１０は、第１ディスペンサガード２０および第２ディスペンサガード３０と、連続物５１、ロール直径を画定する対向する第１および第２側面５２および５４ならびにロール５０内で中心空洞５８を画定するコア５６を有する連続物のロール５０と、を有してもよい。
【００１６】
連続物５１は、たとえば医療用テープ、電気テープ、手切れテープ、ダクトテープ、布テープ、修正／カバーアップテープ、マスキングテープおよび紙テープ等のいかなる適当な材料を含んでもよい。連続物５１は、好ましくは、各々がミネソタ州セントポールのミネソタ・マイニング・アンド・マニュファクチャリング・カンパニー（Ｍｉｎｎｅｓｏｔａ  Ｍｉｎｉｎｇ  ａｎｄ  Ｍａｎｕｆａｃｔｕｒｉｎｇ  Ｃｏｍｐａｎｙ（Ｓｔ．Ｐａｕｌ，ＭＮ））から入手可能である、トランスポア（ＴＲＡＮＳＰＯＲＥ）サージカルテープ、マイクロポア（ＭＩＣＲＯＰＯＲＥ）サージカルテープ、デュラポア（ＤＵＲＡＰＯＲＥ）サージカルテープ、マイクロフォーム（ＭＯＲＣＯＦＯＡＭ）サージカルテープおよびブレンダーム（ＢＬＥＮＤＥＲＭ）サージカルテープ等の引裂き可能医療用テープであってもよい。本明細書で使用する「手切れ（ｈａｎｄ  ｔｅａｒａｂｌｅ）テープ」または「手で引裂き可能な（ｍａｎｕａｌｌｙ  ｔｅａｒａｂｌｅ）テープ」という句は、普通の力およびコーディネーションを有する人がはさみ、ナイフまたは他の装置無しに切離すまたは引裂くことができるテープを意味する。種々の要素により、テープを手で引裂き可能にまたは手切れ性にすることが可能である。たとえば、テープ裏材を、紙、布またはレーヨン等の不織材料等の容易に引裂き可能な材料から構成してもよい。また、ミシン目、エッジ構造またはテープ裏材の他の変更により、テープを手で引裂き可能にまたは手切れ性にしてもよい。
【００１７】
連続物５１を、コア５６の周囲に巻回してもよい。コア５６は、ロール内の中心空洞５８を画定する。コアを、紙、金属、重合体等を含むいかなる適当な材料を使用して製造してもよい。
【００１８】
第１および第２ディスペンサガード２０および３０は、それぞれサイドシールド２２および３２を有する。サイドシールドを、オハイオ州アクロンのアドバンスド・エラストマー・装置ズ，Ｌ．Ｐ．（Ａｄｖａｎｃｅｄ  Ｅｌａｓｔｏｍｅｒ  Ｓｙｓｔｅｍｓ，Ｌ．Ｐ．Ａｋｒｏｎ，ＯＨ）製のサントプレーン（ＳＡＮＴＯＰＲＥＮＥ）と、ゴムと、ミズーリ州セントルイスのフツラ・コーティング・インコーポレイテッド（Ｆｕｔｕｒａ  Ｃｏａｔｉｎｇｓ，Ｉｎｃ．（Ｓｔ．Ｌｏｕｉｓ，ＭＯ））製のウルトラタン（ＵＬＴＲＡＴＨＡＮＥ）ＵＥ６３０Ｎａｔ．と、ミシガン州ミッドランドのダウ・ケミカル・カンパニー（Ｄｏｗ  Ｃｈｅｍｉｃａｌ  Ｃｏ．（Ｍｉｄｌａｎｄ，ＭＩ））製のダウレックス（ＤＯＷＬＥＸ）２５１７Ｎａｔ．と、マサチューセッツ州レオミンスターのＤＳＭサーモプラスティック・エラストマーズ・インコーポレイテッド（ＤＳＭ  Ｔｈｅｒｍｏｐｌａｓｔｉｃ  Ｅｌａｓｔｏｍｅｒｓ，Ｉｎｃ．（Ｌｅｏｍｉｎｓｔｅｒ，ＭＡ））製のサーリンク（ＳＡＲＬＩＮＫ）３１８０  Ｎａｔ．と、ウレタンと、を含む、いかなる適当な材料から作製してもよい。サイドシールドは、好ましくは、連続物のロール５０の第１および第２側面５２および５４全体を覆う。
【００１９】
図１〜図３は、第１および第２ディスペンサガード２０および３０それぞれをともに示すが、代替実施形態は、好ましくは、連続物のロール５０の反対側の側面を露出したままにして、ロールの第１側面５２全体を覆うことができる第１ディスペンサガードのみを有してもよい。この実施形態は、テープ裏材の半分のみに接着剤を有するテープ、たとえばいくつかのマスキングテープに対して好ましい場合がある。かかるテープでは、接着剤の無い側面が汚物および他の異物を引寄せる傾向がないため、ロールの２つ以上の面に対する保護を不要とすることができる。
【００２０】
サイドシールド２２および３２が閉じた形態と開いた形態との間で移動可能であることが好ましい場合がある。図１および図３は、閉じた形態のサイドシールドを示し、図２は、開いた形態のサイドシールドを示す。閉じた形態では、サイドシールド２２および３２は、ロール５０に面する凹形状を形成する。サイドシールド２２および３２の凹形状は、密閉容積１２を画定し、そこでロールは容積の少なくとも一部を占有する（図３参照）。開いた形態では、サイドシールド２２および３２は、ロール５０に面する凸形状を形成する（図２参照）。サイドシールド２２および３２は、閉じた形態または開いた形態のいずれかにおいて片寄っていてもよく、それにより開いた形態と閉じた形態との間でサイドシールド２２および３２を移動させるために力が必要となる。
【００２１】
第１および第２ディスペンサガード２０および３０はさらに、サイドシールド２２および３２から突出する止めプラグ２４および３４を有する。止めプラグ２４および３４を、ロール５０のコア５６の中心空洞５８内に配置してもよい。止めプラグ２４および３４のいずれも、コア５６内で摩擦嵌合されなくてもよく、あるいはそれらの一方または両方がコア５６内で摩擦嵌合されてもよい。本明細書で使用する「摩擦嵌合」という句は、コア５６の空洞５８内でいかなる摩擦嵌合止めプラグが挿入されても摩擦が発生するように、止めプラグ２４および３４がコア５６の内周よりわずかに大きい外周を有することを意味する。また、ディスペンサ１０が組立てられる時に、第１ディスペンサガード２０の止めプラグ２４を、第２ディスペンサガード３０の止めプラグ３４に取付けてもよい。
【００２２】
コア５６および／または止めプラグ２４および３４を、円形であるように示すが、それらは、たとえば三角形、正方形、六角形、八角形等、いかなる相補的な形状であってもよい。空洞５８と止めプラグ２４および３４との形状は同じであっても異なっていてもよい。たとえば、中心空洞５８は円形であってもよく、止めプラグ２４および３４は、たとえば六角形かまたは空洞５８内で摩擦嵌合することができる他の何らかの形状であってもよい。
【００２３】
止めプラグ２４および３４を、いかなる適当な技術によって製造してもよい。たとえば、成形ポリマー材料からプラグを製造することが望ましい場合もある。プラグ２４および３４を、サイドシールド２２および３２の一部として成形することにより、サイドシールドとプラグとが１つの連続した完全に一体の部分を形成するようにしてもよい。代替的に、プラグ２４および３４は、サイドシールド２２および３２に取付けられる別々の部分であってもよい。プラグ２４および３４をサイドシールド２２および３２に取付けるために、たとえば接着剤、メカニカルファスナー、化学または熱溶着、超音波エネルギー等、いかなる適当な技術を利用してもよい。さらに、止めプラグをサイドシールドの穴に摩擦嵌入してもよい。図１〜図３に示す実施形態では、サイドシールド２２および３２は、止めプラグ２４および３４とインサート成形されている。
【００２４】
好ましくは、コア５６は、ディスペンサガード２０および３０から分離され別個である。言換えれば、連続物５１は、止めプラグ２４および３４にではなくコア５６に巻回される。さらに、ディスペンサガード２０および３０は、止めプラグ２４および３４とともに、コア５６から取除かれ望ましい場合は再使用されてもよい。
【００２５】
図４は、本発明によるロール品分配装置の別の実施形態を示す。多くの点で、分配装置１１０は、図１〜図３の分配装置１０と類似している。分配装置１１０は、第１ディスペンサガード１２０および第２ディスペンサガード１３０と、連続物１５１、ロール直径を画定する対向する第１および第２側面１５２および１５４ならびにロール１５０内で中心空洞１５８を画定するコア１５６を有する、連続物のロール１５０と、を有する。それはまた、サイドシールド１２２および１２４から突出する止めプラグ１２４および１３４も有する。サイドシールドは、ロール１５０の第１および第２側面１５２および１５４全体を覆ってもよい。
【００２６】
分配装置１１０と分配装置１０との相違には、概して平面形状である、第１ディスペンサガード１２０のサイドシールド１２２の形状がある。第２ディスペンサガード１３０は、分配装置１０の場合と同様に、開いた形態と閉じた形態との間で移動することが可能なサイドシールド１３２を有する。閉じた場合、サイドシールド１３２は、ロール１５０に面する凹形状を形成する。開いた形態では、サイドシールド１３２は、ロール１５０に面する凸形状を形成する。第１および第２ディスペンサガード１２０および１３０は、好ましくは、第２ディスペンサガードのサイドシールド１３２が閉位置にある場合に密閉容積１１２を形成してもよい。
【００２７】
また、本発明を、ロールから連続物を分配する方法として見てもよい。図１〜図３に示す実施形態に関して、ロール品ディスペンサ装置１０を、サイドシールドに力を働かせることによりサイドシールド２２および３２をそれらの閉じた形態（図１参照）から移動させることによって、開いた形態にする。装置１０を開いた形態（図２参照）にすることは、まずサイドシールド２２に力を働かせることと、その後サイドシールド３２に力を働かせることと、を含んでもよく、あるいはサイドシールド２２および３２の両方に同時に力を働かせてもよい。
【００２８】
そして、連続物５１の選択された部分を、ロール５０から引出してもよい。次いで、連続物５１の選択された部分を、ロールから分離する。分離は、手切りを含んでも、はさみ、ナイフまたは他のかかる装置による切断を含んでもよい。そして、第１サイドシールド２２を閉じた後第２サイドシールド３２を閉じることにより、サイドシールドを閉じた形態に戻してもよく、あるいは両サイドシールドを同時に閉じてもよい。場合によっては、サイドシールド２２および３２を、最初に、ロール品ディスペンサ装置１０を平面上にサイドシールド２２が平面上にあるように配置し、その後サイドシールド３２に力を働かせることにより、その力がサイドシールド３２を直接閉位置に戻し、装置１０を平面に対して押圧することによりサイドシールド２２を閉位置に戻すようにすることによって、閉じてもよい。
【００２９】
図４のディスペンサ装置を同様な方法で使用してもよいが、サイドシールド１３２のみを開いた形態と閉じた形態との間で操作しなければならない。
【００３０】
この発明の例示的な実施形態を論考し、この発明の範囲内のあり得る変形を参照した。本発明におけるこれらおよび他の変形および変更は、この発明の範囲から逸脱することなく当業者には明らかとなろう。また、この発明は、本明細書で示した例示的な実施形態に限定されない、ということを理解しなければならない。したがって、本発明は、以下に提供する特許請求の範囲によってのみ限定される。
【図面の簡単な説明】
【００３１】
【図１】本発明による一ディスペンサ装置の斜視図である。
【図２】開いた形態での図１のディスペンサ装置の斜視図であり、長尺材料のロールが取除かれている。
【図３】図１の線３−３に沿った図１のディスペンサ装置の断面図である。
【図４】本発明による他のディスペンサ装置の断面図である。
【国際公開パンフレット】
2004521843.tif 000003
2004521843.tif 000004
2004521843.tif 000005
2004521843.tif 000006
2004521843.tif 000007
2004521843.tif 000008
2004521843.tif 000009
2004521843.tif 000010
2004521843.tif 000011
2004521843.tif 000012
2004521843.tif 000013
2004521843.tif 000014
2004521843.tif 000015
2004521843.tif 000016
2004521843.tif 000017
2004521843.tif 000018
2004521843.tif 000019
2004521843.tif 000020
2004521843.tif 000021
2004521843.tif 000022
2004521843.tif 000023
【国際調査報告】
2004521843.tif 000024
2004521843.tif 000025
2004521843.tif 000026